(57)【要約】【課題】簡素な構造であるけれども、ヘッド用開口部を通した異物混入を防止することができる磁気リーダライタを提供する。【解決手段】媒体支持部１０と、媒体支持部１０に支持された媒体１００の磁気ストライプ１０１の表面に垂直な接近離脱方向Ｈに移動可能であると共に、スライド方向Ｗに移動可能に構成された磁気ヘッド２０と、磁気ヘッド２０のスライド方向Ｗの移動範囲に対応する範囲で開口し、磁気ヘッド２０を通過させるヘッド用開口部１１と、ヘッド用開口部１１の対の長辺１１Ｌのそれぞれから対向する長辺１１Ｌに向かって対の短辺１１Ｓ間の中間部まで延在するブラシ片３１が、長辺１１Ｌに亘って複数本並列して成るブラシ部３０とを有し、ブラシ部３０の複数本のブラシ片３１は、磁気データの読み取りおよび書き込み時に、磁気ヘッド２０によって押しのけられることにより、磁気ヘッド２０の側面に接触する形状に復帰可能に変形する磁気リーダライタ。【選択図】図２
2019160362.tif 000002
【特許請求の範囲】
【請求項１】
板状の媒体の板面に層状に、かつ、長手方向に延在するように形成された磁気ストライプに対して磁気データの読み取りおよび書き込みを行う磁気リーダライタであって、
前記媒体の前記板面を支持する媒体支持部と、
前記媒体支持部に支持された前記媒体の前記磁気ストライプの表面に垂直な接近離脱方向に移動可能であると共に、該磁気ストライプの前記長手方向に平行なスライド方向に移動可能に構成され、該磁気ストライプに接触または近接した状態で、該スライド方向に移動しながら磁気データの読み取りおよび書き込みを行う磁気ヘッドと、
前記磁気ヘッドの前記スライド方向の移動範囲に対応する範囲で開口し、前記媒体支持部に支持された前記媒体の前記磁気ストライプに接触または近接可能となるように該磁気ヘッドを通過させるヘッド用開口部と、を有し、
前記ヘッド用開口部は、前記スライド方向に平行な対の長辺と該対の長辺に直交する対の短辺とを備え、
前記ヘッド用開口部の前記対の長辺のそれぞれから対向する長辺に向かって前記対の短辺間の中間部まで延在するブラシ片が、当該長辺に亘って複数本並列して成るブラシ部をさらに有し、
前記ブラシ部の複数本の前記ブラシ片は、磁気データの読み取りおよび書き込み時に、前記磁気ヘッドによって押しのけられることにより、該磁気ヘッドの側面に接触する形状に復帰可能に変形する磁気リーダライタ。
【請求項２】
前記磁気ヘッドは、
前記接近離脱方向において、前記磁気ストライプから離間して磁気データの読み取りおよび書き込みを行わない不働位置と、該磁気ストライプに接触または近接した読み書き位置との間を、移動可能であり、
前記スライド方向において、前記磁気ストライプの前記長手方向の一端よりも外側の退避位置と、該磁気ストライプの他端との間を、移動可能である請求項１に記載の磁気リーダライタ。
【請求項３】
前記接近離脱方向において、前記ブラシ部は、前記不働位置にある前記磁気ヘッドの磁気データの読み取りおよび書き込みを行う先端面と同じ位置にある請求項２に記載の磁気リーダライタ。
【請求項４】
磁気データの読み取りおよび書き込みのうち少なくとも読み取り時に、次のように動作するように構成されている：
前記不働位置および前記退避位置にある前記磁気ヘッドが、前記接近離脱方向において、前記読み書き位置に移動し、
前記読み書き位置および前記退避位置にある前記磁気ヘッドが、前記スライド方向において、前記磁気ストライプの前記一端を経て前記他端に向かって移動しながら、磁気データの読み取りおよび書き込みを行い、
磁気データの読み取りを終えて前記磁気ストライプの前記他端に相当する位置に到達した前記磁気ヘッドが、前記接近離脱方向において、前記不働位置に移動し、
前記不働位置および前記磁気ストライプの前記他端に相当する位置にある前記磁気ヘッドが、前記スライド方向において、前記磁気ストライプの前記一端を経て前記退避位置に向かって移動しながら、該磁気ヘッドの前記磁気ストライプの前記一端を経て前記他端に向かって移動しながら、該磁気ヘッドの前記先端面が前記ブラシ部によって清掃される、請求項３に記載の磁気リーダライタ。
【請求項５】
前記ブラシ部の複数本の前記ブラシ片の少なくとも一部は、その先端が、前記不働位置にある前記磁気ヘッドの前記先端面を向いている請求項３または４に記載の磁気リーダライタ。
【請求項６】
前記磁気ヘッドを前記接近離脱方向および前記スライド方向にそれぞれ駆動するヘッド駆動機構をさらに有する、請求項１乃至５のいずれか一項に記載の磁気リーダライタ。
【請求項７】
前記ブラシ部の複数本の前記ブラシ片は、前記磁気ヘッドが前記スライド方向に通過して該磁気ヘッドによる押しのけが解除されたときに、元の形状に復帰するような弾性を有する請求項１〜６のいずれか一項に記載の磁気リーダライタ。
【請求項８】
前記ブラシ部の複数本の前記ブラシ片は、金属を含む樹脂から成るか、あるいは、樹脂から成ると共に表面に帯電防止コーティングが施されており、これにより、帯電しないように構成されている請求項１〜７のいずれか一項に記載の磁気リーダライタ。
【請求項９】
前記媒体支持部を支持すると共に、前記磁気ヘッドを移動可能に支持する金属製のフレームをさらに有し、
前記ブラシ部の複数本の前記ブラシ片は、その基部が前記フレームと電気的に接続されており、これにより、前記磁気ヘッドと摺動する際に発生する静電気を除電するように構成されている請求項８に記載の磁気リーダライタ。
【請求項１０】
請求項１〜９のいずれか一項に記載の磁気リーダライタを有する、自動取引装置。
【発明の詳細な説明】
【技術分野】
【０００１】
本発明は、磁気リーダライタに関する。
【背景技術】
【０００２】
ＡＴＭ（Automated Teller Machine）等の自動取引装置やＰＯＳ（Point Of Sales）端末装置などには、磁気リーダライタが内蔵もしくは隣接して設置されることがある。磁気リーダライタは、磁気カードや通帳等の板状（紙葉状、冊子状を含む）の媒体の板面（紙面を含む）に層状にかつ長手方向に延在するように形成された磁気ストライプに対し、磁気データの読み取りおよび書き込み（磁気データの読み書き）を行う装置である。
【０００３】
一般に、磁気リーダライタは、磁気リーダライタに対して媒体を出し入れすべく、媒体を搬送方向に搬送する媒体搬送路と、媒体搬送路上に設けられ、媒体の磁気ストライプが形成された面を支持する媒体支持部と、媒体支持部に支持された媒体の磁気ストライプに対して磁気データの読み書きを行う磁気ヘッドと、媒体搬送路上の特に媒体支持部に設けられ、媒体の磁気ストライプに対して磁気ヘッドを接触または接近可能とすべく、磁気ヘッドを通過させるヘッド用開口部とを有している。
【０００４】
尚、磁気ストライプに対して磁気データの読み書きを行う際には、媒体と磁気ヘッドとは、磁気ストライブの延在方向に、相対的に移動する必要がある。具体的には、磁気データの読み書き中に、媒体を移動させるように構成した磁気リーダライタと、磁気ヘッドを移動するように構成した磁気リーダライタとがある。
【０００５】
特許文献１および２には、磁気ヘッドを移動するように構成した磁気リーダライタの類が開示されている。特許文献３には、媒体を移動させるように構成した磁気リーダライタの類が開示されている。
【先行技術文献】
【特許文献】
【０００６】
【特許文献１】実開昭６３−１８４４８８号公報
【特許文献２】国際公開第２０１５／０４５４５８号
【特許文献３】特開２０００−１３２６４０号公報
【発明の概要】
【発明が解決しようとする課題】
【０００７】
ところで、磁気データの読み書きを行うべく、磁気リーダライタに挿入される媒体には、汚れや埃が付着していることがある。媒体に付着した汚れや埃は、媒体が媒体搬送路上を搬送される際に、媒体から剥離し、落下する可能性がある。媒体から落下した汚れや埃は、前述したヘッド用開口部を通して磁気リーダライタの更なる内部、即ち、磁気リーダライタ内であり、かつ、媒体搬送路外に、異物として混入する可能性がある。
【０００８】
特に、特許文献１および２に開示されたものをも含め、磁気ヘッドを移動するように構成した磁気リーダライタは、そのヘッド用開口部が、磁気ヘッドの移動範囲に応じて長い範囲で開口している。このため、異物が混入する可能性が高い。
【０００９】
通常、磁気リーダライタの更なる内部には、磁気ヘッドの移動機構や、電気回路基板等が搭載されている。よって、磁気ヘッドの移動機構が異物を噛み込んで磁気ヘッドの移動に支障を来したり、磁気ヘッド移動機構が損傷する可能性がある。また、異物が電気回路を短絡して回路部品が損傷する可能性がある。そのため、ヘッド用開口部を介する異物混入への対策が望まれる。
【００１０】
ヘッド用開口部を通した異物混入への対策として、例えば、磁気ヘッドの不使用時にヘッド用開口部を塞ぐシャッタを設ける方策が考えられる。しかし、磁気ヘッドの使用／不使用に応じてシャッタを開閉する機構が必要であるため、磁気リーダライタの構造が複雑となり、製造コスト上昇、メインテナンス性の低下、耐久性の低下などが懸念される。
【００１１】
それ故、本発明の目的は、簡素な構造であるけれども、ヘッド用開口部を通した異物混入を防止することができる磁気リーダライタを提供することである。
【課題を解決するための手段】
【００１２】
本発明によれば、板状の媒体の板面に層状に、かつ、長手方向に延在するように形成された磁気ストライプに対して磁気データの読み取りおよび書き込みを行う磁気リーダライタであって、前記媒体の前記板面を支持する媒体支持部と、前記媒体支持部に支持された前記媒体の前記磁気ストライプの表面に垂直な接近離脱方向に移動可能であると共に、該磁気ストライプの前記長手方向に平行なスライド方向に移動可能に構成され、該磁気ストライプに接触または近接した状態で、該スライド方向に移動しながら磁気データの読み取りおよび書き込みを行う磁気ヘッドと、前記磁気ヘッドの前記スライド方向の移動範囲に対応する範囲で開口し、前記媒体支持部に支持された前記媒体の前記磁気ストライプに接触または近接可能となるように該磁気ヘッドを通過させるヘッド用開口部と、を有し、前記ヘッド用開口部は、前記スライド方向に平行な対の長辺と該対の長辺に直交する対の短辺とを備え、前記ヘッド用開口部の前記対の長辺のそれぞれから対向する長辺に向かって前記対の短辺間の中間部まで延在するブラシ片が、当該長辺に亘って複数本並列して成るブラシ部をさらに有し、前記ブラシ部の複数本の前記ブラシ片は、磁気データの読み取りおよび書き込み時に、前記磁気ヘッドによって押しのけられることにより、該磁気ヘッドの側面に接触する態勢に復帰可能に変形する磁気リーダライタが得られる。
【００１３】
本発明によればまた、前記磁気リーダライタを有し、前記媒体は、通帳である、自動取引装置が得られる。
【発明の効果】
【００１４】
本発明による磁気リーダライタは、簡素な構造であるけれども、ヘッド用開口部を通した異物混入を防止することができる。
【図面の簡単な説明】
【００１５】
【図１】本発明の比較例による磁気リーダライタの斜視図である。
【図２】本発明の第１の実施形態による磁気リーダライタの斜視図である。
【図３】本発明の第１の実施形態による磁気リーダライタの概略的な矢視図である。
【図４】本発明の第１の実施形態による磁気リーダライタの概略的な矢視図である。
【図５】（ａ）および（ｂ）は、本発明の第１の実施形態による磁気リーダライタのブラシ部の変形を説明するための概略的な矢視図である。
【図６】本発明の第１の実施形態による磁気リーダライタの動作を説明するための概略的な矢視図である。
【図７】本発明の第１の実施形態による磁気リーダライタの動作を説明するための概略的な矢視図である。
【図８】本発明の第１の実施形態による磁気リーダライタの動作を説明するための概略的な矢視図である。
【図９】本発明の第１の実施形態による磁気リーダライタの動作を説明するための概略的な矢視図である。
【図１０】本発明の第１の実施形態による磁気リーダライタの動作を説明するための概略的な矢視図である。
【図１１】本発明の第２の実施形態による磁気リーダライタの斜視図である。
【図１２】本発明の第３の実施形態による磁気リーダライタの概略的な矢視図である。
【発明を実施するための形態】
【００１６】
以下、図面を参照して、本発明による磁気リーダライタの幾つかの実施形態を説明する。
【００１７】
これら実施形態において、磁気リーダライタは、ＡＴＭに内蔵されたものを例に挙げている。尚、図中、ＡＴＭの磁気リーダライタ以外の構成については、図示を省略している。また、磁気リーダライタについても、その全ての構成要素を図示してはおらず、本発明に関係する部位のみを図示しており、その他の部位については、図示を省略している。
【００１８】
各図中、符号Ｗは磁気リーダライタの幅方向を示し、符号Ｈは磁気リーダライタの高さ方向を示し、符号Ｄは磁気リーダライタの奥行方向を示している。尚、後述する磁気ストライプの長手方向ならびに磁気ヘッドのスライド方向は、磁気リーダライタの幅方向Ｗと平行である。このため、以下においては、長手方向Ｗならびにスライド方向Ｗと表記することもある。また、後述する磁気ヘッドの接近離脱方向は、磁気リーダライタの高さ方向Ｈと平行である。このため、以下においては、接近離脱方向Ｈと表記することもある。
【００１９】
まずはじめに、本発明の理解の助けとして、比較例による磁気リーダライタについて説明する。
【００２０】
図１を参照すると、比較例による磁気リーダライタは、板状（紙葉状、冊子状を含む）の媒体である通帳の板面（紙面を含む）に層状に、かつ、長手方向に延在するように形成された磁気ストライプに対して磁気データの読み取りおよび書き込みを行うものであって、媒体支持部１０と、ヘッド用開口部６１と、磁気ヘッド２０とを有している。
【００２１】
媒体支持部１０は、通帳の板面を支持する。磁気ヘッド２０は、媒体支持部１０に支持された通帳の磁気ストライプの表面に垂直な接近離脱方向Ｈに移動可能であると共に、磁気ストライプの長手方向に平行なスライド方向Ｗに移動可能に構成されている。磁気ヘッド２０は、磁気ストライプ１０１に接触または近接した状態で、スライド方向Ｗに移動しながら磁気データの読み取りおよび書き込みを行う。ヘッド用開口部６１は、磁気ヘッド２０のスライド方向Ｗの移動範囲に対応する範囲で開口し、媒体支持部１０に支持された通帳の磁気ストライプに接触または近接可能となるように磁気ヘッド２０を通過させる。
【００２２】
通帳には、汚れや埃が付着していることがある。通帳に付着した汚れや埃は、通帳から剥離し、落下する可能性がある。通帳から落下した汚れや埃は、ヘッド用開口部６１を通して磁気リーダライタの更なる内部、即ち、磁気リーダライタ内であり、かつ、媒体支持部１０外に、異物として混入する可能性がある。特に、ヘッド用開口部６１は、磁気ヘッド２０の移動範囲に応じて長い範囲で開口している。このため、異物が混入する可能性が高い。
【００２３】
［第１の実施形態］
図２〜図４を参照すると、本発明の第１の実施形態による磁気リーダライタは、比較例による磁気リーダライタと同様に、板状（紙葉状、冊子状を含む）の媒体である通帳１００の板面（紙面を含む）に層状に、かつ、長手方向Ｗに延在するように形成された磁気ストライプ１０１に対して磁気データの読み取りおよび書き込みを行うものである。
【００２４】
本磁気リーダライタは、媒体支持部１０と、ヘッド用開口部１１と、磁気ヘッド２０と、ブラシ部３０とを有している。
【００２５】
媒体支持部１０は、図示しないＡＴＭの媒体搬送路（図示せず）上に設けられ、通帳１００の磁気ストライプ１０１が板面を支持する。媒体支持部１０には、左側壁部１２Ｌと、右側壁部１２Ｒとが設けられており、通帳の左側および右側の少なくとも一方が位置決めされる。図示はしないが、媒体支持部１０にはさらに、奥側壁部と、上方から通帳１００を押さえ付ける機構も設けられている。これらにより、磁気データの読み取りおよび書き込み中、通帳のように冊子状の媒体であっても確実に媒体支持部１０に支持（保持）される。
【００２６】
磁気ヘッド２０は、媒体支持部１０に支持された通帳１００の磁気ストライプ１０１の表面に垂直な接近離脱方向Ｈに移動可能であると共に、磁気ストライプ１０１の長手方向Ｗに平行なスライド方向Ｗに移動可能に構成されている。磁気ヘッド２０は、磁気ストライプ１０１に接触または近接した状態で、スライド方向Ｗに移動しながら磁気データの読み取りおよび書き込みを行う。
【００２７】
ヘッド用開口部１１は、磁気ヘッド２０のスライド方向Ｗの移動範囲に対応する範囲で開口し、媒体支持部１０に支持された通帳の磁気ストライプに接触または近接可能となるように磁気ヘッド２０を通過させる。ヘッド用開口部１１は、スライド方向Ｗに平行な対の長辺と、対の長辺に直交する、即ち、奥行方向Ｄと平行な対の短辺とを備えている。
【００２８】
図３中、符号５０Ｈは、磁気ヘッド２０を接近離脱方向Ｈに駆動する第１のヘッド駆動機構を示している。符号５０Ｗは、磁気ヘッド２０をスライド方向Ｗにそれぞれ駆動する第２のヘッド駆動機構を示している。尚、図３以外の図においては、第１のヘッド駆動機構５０Ｈ、第２のヘッド駆動機構５０Ｗの図示を省略している。
【００２９】
磁気ヘッド２０は、接近離脱方向Ｈにおいて、磁気ストライプ１０１から離間して磁気データの読み取りおよび書き込みを行わない不働位置（図３に示す位置）と、磁気ストライプ１０１に接触または近接した読み書き位置（図４に示す位置）との間を移動可能である。磁気ヘッド２０はまた、スライド方向Ｗにおいて、磁気ストライプ１０１の長手方向Ｗの一端部１０１ｐよりも外側（図４中、右側）の退避位置（図３に示す位置）と、磁気ストライプ１０１の長手方向Ｗの他端部１０１ｄ（図４）との間を、移動可能である。
【００３０】
ブラシ部３０は、ヘッド用開口部１１の対の長辺のそれぞれから、対向する長辺に向かって対の短辺間の中間部まで延在するブラシ片が、長辺に亘って複数本並列して成る。ブラシ部３０は、接近離脱方向Ｈにおいて、不働位置（図３に示す位置）にある磁気ヘッド２０の磁気データの読み取りおよび書き込みを行う先端面２０Ｔ（図５（ａ）および（ｂ）参照）と、同じ位置に設けられている。図２に示すように、ブラシ部３０は、ヘッド用開口部１１の一方の長辺から延在する第１のブラシ片群３０Ａと、ヘッド用開口部１１の他方の長辺から延在する第２のブラシ片群３０Ｂとを有している。ブラシ部３０は、ヘッド用開口部１１のうち、磁気ヘッド２０の退避位置に相当する領域にも設けられている。
【００３１】
通帳１００には汚れや埃が付着していることがあり、通帳１００に付着した汚れや埃が剥離し、落下する可能性がある。通帳１００から落下した汚れや埃は、ヘッド用開口部１１を通して磁気リーダライタの更なる内部、即ち、磁気リーダライタ内であり、かつ、媒体支持部１０外に、異物として混入する可能性があるが、本発明に係る磁気リーダライタは、図３に示すように、磁気リーダライタの更なる内部への異物の混入を防止することができる。しかも、ヘッド用開口部に必要に応じて自動的に開閉するシャッタ機構の類を設ける場合に比べ、動力源が不要なブラシ部は、構造が簡素であり、低コストで製造することができる。
【００３２】
ブラシ部３０の複数本のブラシ片は、図５（ａ）および（ｂ）に示すように、磁気データの読み取りおよび書き込み時、即ち、磁気ヘッド２０が接近離脱方向Ｈにおいて図４に示すように読み書き位置にある磁気ヘッド２０によって押しのけられることにより、磁気ヘッド２０の側面２０Ｓに接触するような形状に、復帰可能に変形する。これにより、磁気データの読み取りおよび書き込み時に、ブラシ片が磁気ストライプ１０１と磁気ヘッド２０の磁気データの読み取りおよび書き込みを行う先端面２０Ｔとの間に介在してしまうことがなく、磁気データの読み取りおよび書き込みに支障を来すことがない。尚、図５（ａ）および（ｂ）以外の、接近離脱方向において読み書き位置にある磁気ヘッドを示す図（例えば、図４）においては、図示の煩雑さを避ける目的上、ブラシ片が変形していないように描いている。
【００３３】
ブラシ部３０の複数本の前記ブラシ片は、樹脂製であり、磁気ヘッド２０がスライド方向Ｗに通過して磁気ヘッド２０による押しのけが解除されたときに、元の形状に復帰するような弾性を有している。また、ブラシ部３０の複数本のブラシ片は、金属を含む樹脂から成るか、あるいは、表面に帯電防止コーティングが施されている。即ち、ブラシ部３０は、帯電しないように構成されている。さらに、図示はしないが、本磁気リーダライタは、媒体支持部１０等を支持すると共に、磁気ヘッド２０を移動可能に支持する金属製の筐体フレームを有している。この金属製の筐体フレームと、ブラシ部３０の複数本のブラシ片の基部とは、電気的に接続されている。即ち、ブラシ部３０は、磁気ヘッド２０と摺動する際に発生する静電気を除電するように構成されている。
【００３４】
次に、本実施形態による磁気リーダライタの動作として、媒体の磁気ストライプに既に記録されている磁気データの読み取り動作を説明する。
【００３５】
図６は、通帳１００が磁気リーダライタに挿入され、媒体支持部１０に支持された直後の状態を示している。このとき、磁気ヘッド２０は、接近離脱方向Ｈにおいて不働位置にあると共に、スライド方向Ｗにおいて退避位置にある。
【００３６】
次に、磁気ヘッド２０が、第１のヘッド駆動機構５０Ｈ（図３）によって駆動され、図７中、破線で示すように読み書き位置に移動する。この際、磁気ヘッド２０は、ブラシ部３０を上方に突き抜けるため、先端面２０Ｔ（図５（ａ）および（ｂ））が清掃される。即ち、図７中、破線で示す磁気ヘッド２０は、接近離脱方向Ｈにおいて読み書き位置にあると共に、スライド方向Ｗにおいて退避位置にある。
【００３７】
次いで、磁気ヘッド２０が、第２のヘッド駆動機構５０Ｗ（図３）によって駆動され、図７中、実線で示すように、スライド方向Ｗにおいて退避位置から磁気ストライプ１０１の他端部１０１ｄに向かって移動しつつ、磁気ストライプ１０１に既に記録されている磁気データの読み取り（リード）を行う。磁気ヘッド２０は、ブラシ部３０を押しのけながらスライド方向Ｗに移動するが、図５（ａ）および（ｂ）に示すように、ブラシ部３０のブラシ片は磁気ヘッド２０の側面２０Ｓに接触するのに留まり、ブラシ部３０が磁気ヘッド２０の先端面２０Ｔ（図５（ａ）および（ｂ））に乗り上げること、即ち、磁気ストライプ１０１と磁気ヘッド２０との間に入り込むことはない。よって、磁気リード出力低下によるリードエラーを起こすことはない。
【００３８】
磁気ヘッド２０が磁気ストライプ１０１の他端部１０１ｄまで到達し（厳密には、他端部１０１ｄの手前の記録領域の端部）、磁気ストライプ１０１からの読み取りが完了すると、磁気ヘッド２０が、第１のヘッド駆動機構５０Ｈ（図３）によって駆動され、図８に示すように不働位置に移動する。即ち、図８中、磁気ヘッド２０は、接近離脱方向Ｈにおいて不働位置にあると共に、スライド方向Ｗにおいて磁気ストライプ１０１の他端部１０１ｄに相当する位置にある。また、このとき、磁気ヘッド２０の先端面２０Ｔ（図５（ａ）および（ｂ））は、接近離脱方向Ｈにおいて、ブラシ部３０と同じ高さにある。
【００３９】
次に、磁気ヘッド２０が、第２のヘッド駆動機構５０Ｗ（図３）によって駆動され、図９に示すように、スライド方向Ｗにおいて磁気ストライプ１０１の他端部１０１ｄに相当する位置から図中、右側の退避位置に向かって移動する。この際、磁気ヘッド２０の先端面２０Ｔ（図５（ａ）および（ｂ））が接近離脱方向Ｈにおいてブラシ部３０と同じ高さにあるため、先端面２０Ｔが清掃される。
【００４０】
次いで、図９中、実線で示すように、磁気ヘッド２０は、接近離脱方向Ｈにおいて不働位置にあると共に、スライド方向Ｗにおいて退避位置に戻る。
【００４１】
以上のようにして、媒体の磁気ストライプに既に記録されている磁気データの読み取りが終了する。
【００４２】
ところで、媒体の磁気ストライプへの磁気データの書き込みの際には、磁気ストライプへの書き込み後、書き込みが正しく行われたことを検証するため、図１０に示すように、磁気ヘッド２０がスライド方向Ｗにおいて戻り移動しながら、検証読み取り（ベリファイリード）を行う。つまり、媒体の磁気ストライプへの磁気データの書き込みの際には、最初に、磁気ヘッド２０が、接近離脱方向Ｈにおいて、不働位置から読み取り位置に移動するときにブラシ部３０によって磁気ヘッド２０の先端面２０Ｔ（図５（ａ）および（ｂ））が清掃されるが、磁気ヘッド２０のスライド方向Ｗの移動時には、先端面２０Ｔ（図５（ａ）および（ｂ））の清掃がされない。
【００４３】
ただし、通常は、媒体の磁気ストライプへの磁気データの書き込みを行う際は、これに先立ち、媒体の磁気ストライプからの磁気データの読み取りを行うため、磁気ヘッドがスライド方向に移動しながらの清掃もされる。したがって、書き込み時に清掃が行われなくとも、運用上は支障がない。
【００４４】
［第２の実施形態］
本発明の第２の実施形態は、ブラシ部３５の複数本のブラシ片の少なくとも一部は、その先端が特徴のある形状を呈している点で、第１の実施形態と異なる。このため、第１の実施形態と同一部または同様部については、第１の実施形態の説明を援用することとし、詳細な説明を省略する。
【００４５】
図１１を参照すると、第２の実施形態による磁気リーダライタは、媒体支持部１０と、ヘッド用開口部１１と、磁気ヘッド２０と、ブラシ部３５とを有している。
【００４６】
ブラシ部３５は、ヘッド用開口部１１の対の長辺のそれぞれから、対向する長辺に向かって対の短辺間の中間部まで延在するブラシ片が、長辺に亘って複数本並列して成る。ブラシ部３５は、接近離脱方向Ｈにおいて、不働位置（図１１に示す位置）にある磁気ヘッド２０の磁気データの読み取りおよび書き込みを行う先端面２０Ｔ（図５（ａ）および（ｂ）を援用的に参照）と、同じ位置に設けられている。ブラシ部３５は、ヘッド用開口部１１の一方の長辺から延在する第１のブラシ片群３５Ａと、ヘッド用開口部１１の他方の長辺から延在する第２のブラシ片群３５Ｂとを有している。ブラシ部３５は、ヘッド用開口部１１のうち、磁気ヘッド２０の退避位置に相当する領域にも設けられている。
【００４７】
媒体には汚れや埃が付着していることがあり、媒体に付着した汚れや埃が剥離し、落下する可能性がある。媒体から落下した汚れや埃は、ヘッド用開口部１１を通して磁気リーダライタの更なる内部、即ち、磁気リーダライタ内であり、かつ、媒体支持部１０外に、異物として混入する可能性があるが、本発明に係る磁気リーダライタは、ブラシ部３５によって磁気リーダライタの更なる内部への異物の混入を防止することができる。しかも、ヘッド用開口部に必要に応じて自動的に開閉するシャッタ機構の類を設ける場合に比べ、動力源が不要なブラシ部は、構造が簡素であり、低コストで製造することができる。
【００４８】
特に、ブラシ部３５の複数本のブラシ片は、その先端が、接近離脱方向Ｈにおいて図１１に示すように不働位置にある磁気ヘッド２０の先端面２０Ｔ（図５（ａ）および（ｂ）を援用的に参照）を向いている。
【００４９】
本磁気リーダライタにおいても、第１の実施形態と同様に、磁気ヘッド２０が接近離脱方向Ｈにおいて不働位置から読み取り位置に移動するときと、不働位置にある磁気ヘッド２０がスライド方向Ｗに移動するときに、ブラシ部３５によって先端面２０Ｔの清掃がなされる。
【００５０】
第２の実施形態による磁気リーダライタは、ブラシ片の先端の特徴的な形状により、第１の実施形態よりも高い清掃作用を期待できる。
【００５１】
［第３の実施形態］
本発明の第３の実施形態は、異物混入抑止用のブラシ部と磁気ヘッド清掃用のブラシ部との多層のブラシ部を有している点で、第１、第２の実施形態と異なる。このため、第１、第２の実施形態と同一部または同様部については、第１、第２の実施形態の説明を援用することとし、詳細な説明を省略する。
【００５２】
図１２を参照すると、第３の実施形態による磁気リーダライタは、媒体支持部１０と、ヘッド用開口部１１と、磁気ヘッド２０と、ブラシ部３０と、ブラシ部４０とを有している。
【００５３】
ブラシ部３０は、ヘッド用開口部１１の対の長辺のそれぞれから、対向する長辺に向かって対の短辺間の中間部まで延在するブラシ片が、長辺に亘って複数本並列して成る。ブラシ部３０は、ヘッド用開口部１１の一方の長辺から延在する第１のブラシ片群と、ヘッド用開口部１１の他方の長辺から延在する第２のブラシ片群とを有している。ブラシ部３０は、ヘッド用開口部１１のうち、磁気ヘッド２０の退避位置に相当する領域にも設けられている。
【００５４】
媒体には汚れや埃が付着していることがあり、媒体に付着した汚れや埃が剥離し、落下する可能性がある。媒体から落下した汚れや埃は、ヘッド用開口部１１を通して磁気リーダライタの更なる内部、即ち、磁気リーダライタ内であり、かつ、媒体支持部１０外に、異物として混入する可能性があるが、本発明に係る磁気リーダライタは、ブラシ部３０によって磁気リーダライタの更なる内部への異物の混入を防止することができる。しかも、ヘッド用開口部に必要に応じて自動的に開閉するシャッタ機構の類を設ける場合に比べ、動力源が不要なブラシ部は、構造が簡素であり、低コストで製造することができる。
【００５５】
ブラシ部４０も、ブラシ部３０と同様に、ヘッド用開口部１１の対の長辺のそれぞれから、対向する長辺に向かって対の短辺間の中間部まで延在するブラシ片が、長辺に亘って複数本並列して成る。ブラシ部４０は、ヘッド用開口部１１の一方の長辺から延在する第１のブラシ片群と、ヘッド用開口部１１の他方の長辺から延在する第２のブラシ片群とを有している。ブラシ部４０は、ヘッド用開口部１１のうち、磁気ヘッド２０の退避位置に相当する領域にも設けられている。
【００５６】
ブラシ部４０は、接近離脱方向Ｈにおいて、不働位置（図１２に示す位置）にある磁気ヘッド２０の磁気データの読み取りおよび書き込みを行う先端面２０Ｔ（図５（ａ）および（ｂ）を援用的に参照）と、同じ位置に設けられている。
【００５７】
本磁気リーダライタにおいても、第１、第２の実施形態と同様に、磁気ヘッド２０が接近離脱方向Ｈにおいて不働位置から読み取り位置に移動するときと、不働位置にある磁気ヘッド２０がスライド方向Ｗに移動するときに、ブラシ部４０によって先端面２０Ｔの清掃がなされる。
【符号の説明】
【００５８】
１０    媒体支持部
１１    ヘッド用開口部
１２Ｌ  左側壁部
１２Ｒ  右側壁部
２０    磁気ヘッド
２０Ｓ  側面
２０Ｔ  先端面
３０、３５、４０    ブラシ部
３０Ａ、３５Ａ  第１のブラシ片群
３０Ｂ、３５Ｂ  第２のブラシ片群
５０Ｈ  第１のヘッド駆動機構
５０Ｗ  第２のヘッド駆動機構
１００    通帳
１０１    磁気ストライプ
１０１ｐ  一端部
１０１ｄ  他端部
【図１】
2019160362.tif 000003
【図２】
2019160362.tif 000004
【図３】
2019160362.tif 000005
【図４】
2019160362.tif 000006
【図５】
2019160362.tif 000007
【図６】
2019160362.tif 000008
【図７】
2019160362.tif 000009
【図８】
2019160362.tif 000010
【図９】
2019160362.tif 000011
【図１０】
2019160362.tif 000012
【図１１】
2019160362.tif 000013
【図１２】
2019160362.tif 000014